(57)【要約】【課題】電線を保持する保持部材が、プラグコネクタのハウジングに固定された別体の部品で形成されるプラグコネクタの提供。【解決手段】プラグコネクタ（１）は、電線（２１）及び被覆（２３）を有するケーブル（２２）を受容するためのハウジング（１１）を有する。保持タブ（３１，３２，３５）を有する保持部材（４）がハウジング（１１）に固定される。保持タブ（３１，３２，３５）は、ケーブル（２２）の縦方向に対して所定角度で傾斜して配置される。保持タブの縁（３６）は、ケーブル（２２）の被覆（２３）に係止するために設けられている。【選択図】図１
2008103327.tif 000002
【特許請求の範囲】
【請求項１】
少なくとも１本の電線及び被覆を有する少なくとも１本のケーブルを受容するハウジングを有するプラグコネクタであって、前記ハウジングに前記ケーブル用のストレインリリーフとして保持手段が設けられたプラグコネクタにおいて、
前記ハウジングに、前記保持手段として保持部材が固定され、
該保持部材は、可撓性を有する保持タブを有し、
該保持タブは、前記ケーブル用のケーブル開口の縦方向に傾斜する所定角度で配置され、
前記保持タブの一縁は、前記ケーブルの前記被覆と係合するために設けられていることを特徴とするプラグコネクタ。
【請求項２】
前記保持タブは、１部品として構成された第１面及び第２面を有し、
該第２面は、前記第１面に対して所定角度で傾斜して配向されると共に、前記ケーブル開口の中心軸の方向に傾斜しており、
前記第１面は、前記ケーブルの前記被覆の表面用の嵌合面として設けられていることを特徴とする請求項１記載のプラグコネクタ。
【請求項３】
前記保持部材は、断面が円形である、前記ケーブル用のケーブル開口の周囲に所定角度で変位して配置された２個の保持タブを有することを特徴とする請求項１又は２記載のプラグコネクタ。
【請求項４】
前記保持部材は、前記ケーブルのシールドに接触するために設けられた接触面を有することを特徴とする請求項１ないし３のうちいずれか１項記載のプラグコネクタ。
【請求項５】
前記保持部材は、ロック片に割当てられた捕捉突起を有し、
前記ロック片は捕捉凹部を有し、
前記捕捉突起は、前記ロック片の回転位置で前記捕捉凹部に係止することを特徴とする請求項１ないし４のうちいずれか１項記載のプラグコネクタ。
【請求項６】
前記ロック片は、前記ハウジングのホルダの一部を受容する凹部を有し、
前記ロック片は、開始位置で前記ホルダに嵌ることができ、
前記ホルダの少なくとも一部は、前記凹部内に押圧され、
前記ロック片は、回転により前記開始位置から組立位置へ移動でき、
回転の際、前記保持部材の可撓的に実装された捕捉突起が前記ロック片の停止面上を通過することにより、前記捕捉突起は前記開始位置から放射方向に押圧され、
前記停止面上を通過した後、前記捕捉突起は再度、前記開始位置へ撥ね戻ると共に、前記ロック片は前記組立位置へ移動し、
前記組立位置から前記開始位置への前記ロック片の戻り回転は、前記停止面上の１個の捕捉縁と嵌合し前記開始位置への前記ロック片の回転を防止する前記捕捉突起により阻止されることを特徴とする請求項５記載のプラグコネクタ。
【請求項７】
前記ロック片は第２ハウジング部に設けられ、
第１ハウジング部はホルダを有し、
前記ロック位置において、前記ロック片は、前記第１ハウジング部の前記ホルダを包み込みと共に前記第１及び第２のハウジング部を共に保持することを特徴とする請求項５又は６記載のプラグコネクタ。
【請求項８】
前記保持部材は、金属片から曲げ部として形成されていることを特徴とする請求項１ないし７のうちいずれか１項記載のプラグコネクタ。
【請求項９】
前記ロック片は、前記保持部材のガイド部用の嵌合面を有し、
前記ロック片は、前記嵌合面と共に回転する際に、前記ガイド部上を摺動すると共に、前記ガイド部により案内されることを特徴とする請求項５ないし８のうちいずれか１項記載のプラグコネクタ。
【請求項１０】
前記保持部材は、前記保持タブに接続されたばねアームを有することを特徴とする請求項１ないし９のうちいずれか１項記載のプラグコネクタ。
【請求項１１】
前記保持部材は、前記接触面に接続された別のばねアームを有することを特徴とする請求項４ないし１０のうちいずれか１項記載のプラグコネクタ。
【請求項１２】
前記ばねアームは、90°より大きな曲げを有する曲げ部を介して接続された第１部分及び第２部分を有し、
前記第１部分は、前記保持部材の基部に接続され、
前記第２部分は、前記保持タブに接続されていることを特徴とする請求項１０記載のプラグコネクタ。
【請求項１３】
前記別のばねアームは、90°より大きな曲げを有する曲げ部を介して接続された第１部分及び第２部分を有し、
前記第１部分は、前記保持部材の基部に接続され、
前記第２部分は、前記接触面に接続されていることを特徴とする請求項１１記載のプラグコネクタ。
【請求項１４】
前記保持部材は、基部と、該基部の両側から外方へ延びる２本の保持アームとを有し、
該２本の保持アームは、前記ハウジングに支持されていることを特徴とする請求項１ないし１３のうちいずれか１項記載のプラグコネクタ。
【請求項１５】
前記保持タブは、前記ハウジングに可撓的に保持されると共に前記ケーブル開口内に突出し、
異なる径の前記ケーブルは、前記保持タブを有する前記ハウジングにしっかりと締め付け可能であることを特徴とする請求項１ないし１４のうちいずれか１項記載のプラグコネクタ。
【発明の詳細な説明】
【技術分野】
【０００１】
本発明は、改良されたケーブルストレインリリーフを有する電気プラグコネクタに関する。
【背景技術】
【０００２】
複数の電気プラグ、及びプラグを受容する電気プラグリセプタクルすなわちソケットが公知である。これらは、数、形状、寸法、コンタクトの配列、及び電磁干渉（ＥＭＩ）に対するシールドが異なっている。
【０００３】
プラグコネクタは、電気ケーブルの電線に電気的に接続するための電気コンタクトを有する。また、堅牢なプラグコネクタを製造するために、電気ケーブルは、ストレインリリーフによりプラグコネクタに固定されねばならない。ストレインリリーフは、ケーブルに作用する張力が少なくとも部分的に補償され、プラグコネクタの電線の電気接続部に伝わらないことを確保する。ケーブルストレインリリーフは、コネクタを自動車で使用する場合、特に必要である。
【０００４】
プラグコネクタのハウジングにピンの形態の保持手段が構成されている一般的な電気プラグコネクタは、特許文献１で公知である。
【特許文献１】独国特許出願公開第１０２００４０３８１２３号明細書
【特許文献２】米国特許第６９３５８８４号明細書
【特許文献３】英国特許出願公開第２２６１７７５号明細書
【特許文献４】独国実用新案第２０２００６００７１７０号明細書
【特許文献５】独国特許第１９８２９４８６号明細書
【発明の開示】
【発明が解決しようとする課題】
【０００５】
本発明は、改良されたプラグコネクタを利用可能にすることを目的とする。
【課題を解決するための手段】
【０００６】
上述の目的は、請求項１に従ったプラグコネクタにより達成される。
【０００７】
プラグコネクタの実施形態の別の有利な形態は、従属請求項に記載される。
【０００８】
本発明に従ったプラグコネクタは、電線を保持する保持部材が、プラグコネクタのハウジングに固定された別体の部品で形成されるという利点を有する。このようにして、別体部品の製造は、ハウジングの製造とは独立して実行することができる。さらに、保持部材及びハウジング用に、異なる材料を使用することができる。
【０００９】
一実施形態において、保持部材は、曲げられた金属帯で形成されている。この実施形態によれば、製造が簡単で経済的である。
【００１０】
別の一実施形態において、保持部材は、実装された電気ケーブルの長手方向に対して所定角度で配置された保持タブを有する。保持タブは、電気ケーブルの被覆に引っ掛かるための一縁を有する。このように、簡単で信頼性の高いケーブルストレインリリーフが、プラグコネクタのハウジング上で利用できる。
【００１１】
別の一実施形態において、保持タブは、一部品で形成された第１面及び第２面を有する。第２面は第１面に対して所定角度を向き、第１面は電気ケーブルの被覆の表面用に嵌合面として設けられる。第２面は、ケーブルの被覆に引っ掛かるか、被覆を貫通するために設けられている。この実施形態によれば、第１面を嵌合面として作用するので、第２面の貫通深さは最大の値に限定されている。このため、ケーブルの被覆へ保持タブが過度に深く貫通することが阻止される。
【００１２】
別の一実施形態において、２個の保持タブは、ケーブル用の受容空間の中心軸の周りに所定角度で配置されている。このようにして、ストレインリリーフの保持力が増大する。さらに、ケーブルは、２個の保持タブ間に固定することができる。保持力はまた、これらの保持タブにより改善される。
【００１３】
別の一実施形態において、保持部材は、ロック片の捕捉凹部に対応する捕捉突起を有すると共に、ロック片の一回転位置において捕捉凹部に係止する。このようにして、ロック片の少なくとも１箇所の回転位置は、捕捉突起の係止により節度感をもって示される。保持部材が金属製である場合、係止の際に生ずる音により、係止が音響的にも示される。使用される実施形態により、対応する捕捉凹部すなわち捕捉縁への捕捉突起の補助で、ロック片の種々の回転位置を示すこと又は決定することができる。
【００１４】
別の一実施形態において、保持部材はばねアームを有し、保持タブはこのバネアームに固定される。ケーブル方向に沿った保持タブの保持力及び張力を改善することは、ばねアームを介して保持タブを固定することにより可能である。
【００１５】
別の一実施形態において、保持部材は、電気ケーブルのシールドに接触するために設けられた接触面を有する。この実施形態により、電気ケーブルのシールドにしっかりとした信頼性の高い電気接触を可能にする。
【００１６】
別の一実施形態において、保持部材は別のばねアームを有し、接触片がこの別のばねアームに保持される。別のばねアームの実施形態により、電気ケーブルのシールドの方向に沿った可撓性のあるしっかりとした接触片の張力が可能になる。
【００１７】
別の一実施形態において、第１ばねアームは第１部分及び第２部分の形態であり、第１及び第２の部分は90°を超える曲げで曲げ部を介して互いに連結されている。この実施形態により、電気ケーブルの被覆の方向に沿った保持タブの信頼性の高くしっかりとした張力が達成される。さらに、曲げの実施形態により、ケーブルを引っ張る際の離れる方向への曲げは抵抗され、或いは、ケーブルの方向により強く保持タブに張力が加わる。このため、保持部材の損傷に要する張力が増大する。
【００１８】
保持部材の別の一実施形態において、別のばねアームが第１部分及び第２部分を有し、この第１及び第２の部分は90°を超える曲げで曲げ部を介して共に接続されている。本実施形態は、ばねの剛性を増大させるので、電気ケーブルの電気シールドにおけるコンタクトの接触力を増大させる。
【００１９】
別の一実施形態において、保持部材は、基部から始まり保持部材から横方向に現れる２本の保持アームを有し、これら２本の保持アームは、保持部材の回転に抗してハウジング上に支持される。
【００２０】
別の一実施形態において、基部上の保持部材は、ハウジングに保持部材を固定するために使用される少なくとも１個の凹部を有する。このようにして、ハウジング上での保持部材のより簡単で改善された固定を達成される。
【００２１】
別の一実施形態において、ロック片は、ハウジングのホルダの一部を受容する凹部を有する。開始位置において、ロック片をホルダ上に取り付けることができ、ホルダの少なくとも一部は凹部内に押圧される。次に、ロック片は、開始位置から回転によって組立位置へ移動し、保持部材のばね実装された捕捉突起は、捕捉突起及び回転中のロック片の停止面上を通過することにより、開始位置から放射方向に押圧される。停止面上を通過した後、捕捉突起は開始位置に撥ね戻り、ロック片は組立位置に移動する。ロック片は、停止面上の１個の捕捉縁と嵌合し開始位置へのロック片の回転を防止する捕捉突起により組立位置から開始位置へ戻り回転することを阻止される。
【発明を実施するための最良の形態】
【００２２】
以下、添付図面を参照して、本発明の好適な実施形態を詳細に説明する。
【００２３】
図１は、第１ハウジング部１２及び第２ハウジング部１４を有するハウジング
１１と、プラグ接触領域１８と、プラグ接触領域１８とは反対側に配置されたケーブル開口２とを有するプラグコネクタ１の基本部品を示す概略斜視図である。さらに、ロック片３及び保持部材４が図示される。
【００２４】
第１ハウジング部１２は、ロック片３を保持し案内するためのシェル状の第１ホルダ５を有する。第２ハウジング部１４の第２ホルダ６は、第１ホルダ５に割当てられている。第１及び第２のホルダ５，６には、ロック片３を保持し案内するための案内バー７，８，９が設けられる。
【００２５】
組立状態において、ロック片３は、回転できるよう第１又は第２のハウジング部１２，１４のいずれか固定される。組立状態において、保持部材４は、第１又は第２のハウジング部１２，１４内に固定される。
【００２６】
図２は、ケーブル端凹部１６がアクセス可能な状態で第２ハウジング部１４がハウジング１１の内部空間内で回転軸１０の上方へ回転するプラグコネクタ１を示す。ケーブル端凹部１６は、回転軸１０の周りに回転できる回転部品として構成される。ケーブル端凹部１６は、ケーブルの電線が挿入できる複数の溝を有する。ケーブルの電線と電気的に接触するための電気コンタクトが溝内に配置されている。電気コンタクトは、プラグ接触領域１８までハウジング内で案内されると共にプラグコンタクトとして構成される。プラグ接触領域１８は、第１ハウジング部１２に対して堅く結合されている。図示の実施形態において、ロック片３は、第１ハウジング部１２の第１ホルダ５上で回転する。ロック片３はほぼＵ形をなし、断面が円形である第２ケーブル開口１９が設けられている。第２ケーブル開口１９は、第１ケーブル開口２に対して対称的に配向される。ロック片３は、同様に断面が円形である第１ケーブル開口２の中心軸１７の周りを回転可能である。ロック片３は、ケーブルが第１及び第２のケーブル開口２，１９内に挿入できる横方向開口２０を有する。
【００２７】
図３はプラグコネクタ１を示す。ここで、ケーブル２２がケーブル開口２に挿入される。ケーブル２２の電線２１はケーブル端凹部１６の溝内に案内され、導電性になるようにプラグ接触領域１８の電気コンタクトに接続される。この位置において、ケーブル端凹部１６は再度、ロック位置へ下方に回転する。電線２１は、ケーブル２２の端領域で露出すると共にケーブル端凹部１６の溝内に案内される。さらに、ケーブル２２の電気シールド２４が露出する。
【００２８】
ケーブル２２は絶縁性の被覆２３を有する。この被覆２３の下にシールド２４が配置される。シールド２４は、各々絶縁層２５で包まれた電線２１の束を取り囲む。
【００２９】
ケーブル端凹部１６を第１ハウジング部１２の方へ回転することにより、電線２１は、プラグ接触領域１８のプラグコンタクトと電気的に接触する。これは、例えば、第１ハウジング部１２にしっかりと接続され、電線２１の絶縁層２５を突き刺し、電線２１と接触するコンタクトを押し付け又は切れ目を入れることにより達成される。或いは、圧着コンタクト又は突き刺しコンタクトを使用することもできる。
【００３０】
ケーブル２２の露出シールド２４は、ケーブル端凹部１６が保持部材の図示しない接触面と接触した状態の第１ハウジング部６まで下方に回転する際に、接触する。接触面は、第１及び第２のハウジング部１２，１４のハウジングシールド（図示せず）に電気的に接続される。使用される実施形態により、第１及び第２ハウジング部１２，１４は、プラスチック材料製にすることができ、電磁干渉に対してプラグコネクタ１０をシールドする複数の金属層又はインレーを有することができる。選択された実施形態により、第１及び第２のハウジング部１２，１４は、特に良好なシールド及び大きな機械的堅牢性を達成するために例えばダイキャスト部品等の金属から製造することができる。本実施形態において、電気プラグコンタクトはプラスチック材料部品と一体化されるので、電気プラグコンタクトは第１及び第２のハウジング部１２，１４から絶縁される。
【００３１】
図４は、閉じた第２ハウジング部１４を有するプラグコネクタ１を示す。閉じた第２ハウジング部１４には、図３に関して説明したようにケーブル２２がプラグコネクタ１内で固定され、ロック片３が図３の組立位置からロック位置へ回転する。ロック片３は、第１及び第２のホルダ５，６を共に囲むことで第１及び第２のハウジング部１２，１４を一緒にロック位置に保持する。ロック片３はロック位置で係合する。
【００３２】
図５は、保持部材４の拡大斜視図である。保持部材４は矩形の平坦な基部２６を有する。この基部２６の対向する両縦辺から、第１及び第２の保持アーム２７，２８が外方へ延びる。第１及び第２の保持アーム２７，２８はそれぞれほぼ矩形をなし、第１側面において、第１又は第２のばねアーム２９，３０が外方へ延びる。第１及び第２のばねアーム２９，３０は、基部２６のほぼ縦方向に配向されると共に第１及び第２の部分３１，３２を有する。第１部分３１は、ほぼ基部２６の方向に配向されると共に曲げ部３３を介して第２部分３２に交わる。曲げ部３３から始まって、第２部分３２は第１保持アーム２７の方向に戻って延びる。曲げ部３３は、90°を超える角度、例えば140°の曲げ角度を有する。第２部分３２は、撓み領域３４を介して第３部分３５まで延びる。第３部分３５は、第２部分３２に対して所定角度で第１ばねアーム２９から離れる方向に配置される。この所定角度は178〜100°であり、例えば160°である。第３部分３５は、ケーブル２２の被覆２３に積極的に係合した状態で引っ掛かるか又は押圧するために設けられる縁３６を有する。縁３６は、ケーブル２２用の受容空間に対して正接方向に配置される。
【００３３】
第２保持アーム２８は、第１保持アーム２７と同様に構成される。第１及び第２の保持アーム２７，２８は、基部２６の一面に対して180°より小さい角度で配置される。第１及び第２の保持アーム２７，２８は、断面がほぼＶ形状に形成される。
【００３４】
簡単な一実施形態において、縁３６は第２部分３２上に既に構成され、撓み部３４及び第３部分３５は省略されている。第３部分３５及び撓み部３４を通して、ケーブル２２の被覆２３への改善された引っ掛かり又は縁３６の改善された押圧が達成される。
【００３５】
簡単な一実施形態において、第１及び第２の部分３１，３２を有する唯一のばねアーム２９には、曲げ部３３が設けられている。図示の実施形態において、ケーブル２２の被覆２３への改善された引っ掛かり又は縁３６の改善された押圧は、２個のばねアーム２９，３０にそれぞれ第１及び第２の部分３１，３２を形成することにより達成される。第１及び第２の部分３１，３２は、曲げ部３３、撓み部３４、及び縁３６を有する第３部分３５を有する。第１の部分３１、第２の部分３２及び任意である第３の部分３５を有する第１及び第２のばねアーム２９，３０は、第１又は第２の保持タブを表わす。第１及び第２の保持タブはまた、第１及び第２のばねアームを伴うことなく、基部２６上に直接的に構成することもできる。第１及び第２の保持タブは、保持部材上に可撓的に実装される。
【００３６】
基部２６は、第１端で曲げ部３７を介してガイド部３８に結合される。基部２６の反対側の第２端において、第３ばねアーム３９が、基部２６の方向に上方且つ戻り方向に案内される別の曲げ部の形態で構成される。第３ばねアーム３９には接触面４０が設けられる。この接触面４０は、基部２６の面に対して90°未満の角度で配置され、殆ど第１及び第２の保持アーム２７，２８の領域まで延びており、少なくとも部分的に基部２６の上に配置される。接触面４０は、接触面４０の基面４３の両側で外方に延びる２個の接触翼４１，４２を有する。このようにして、３個の嵌合面を有する接触面が利用できる。使用される実施形態により、接触翼４１，４２の横方向のロック縁４４，４５を外方へ曲げることができる。
【００３７】
別の一実施形態において、第１及び第２の保持アーム２７，２８は、別の曲げ部４６を介して端部４７へ曲がることができる。端部４７は、基部２６の方向に沿って内方へ傾斜して、好適には基部２６に直交して配置される。
【００３８】
保持部材４は、好適には金属から形成され、打抜き加工及び曲げ加工により金属板又は金属箔から製造される。これにより、基本形状は、金属板又は金属箔から打抜き加工又はレーザ切断加工の補助で展開される。図４に示された保持部材は、その後の形成加工及び曲げ加工により製造される。
【００３９】
接触面４０は、ケーブル２２のシールド２４に永久的な圧力を作用することでシールド２４にしっかりと電気的に接触する弾性実装された接触面を表わす。組立状態において、保持部材４は、プラグコネクタ１の導電シールド面に、又は少なくとも導電コンタクトに接続される。
【００４０】
第１及び第２の部分３１，３２、曲げ部３３、撓み部３４、及び縁３６付きの第３部分を有する第１及び第２のばねアーム２９，３０は、保持タブの形態の弾性実装されたストレインリリーフを表わす。第２部分３２は、被覆２３の表面への嵌合面として作用するので、第３部分３５の貫通深さを制限する。貫通深さは、第２及び第３の部分３２，３５間の角度及び第３部分３５の長さにより決定される。
【００４１】
第１及び第２の保持アーム２７，２８の傾斜又はＶ状の配置により、保持タブは、被覆２３の円形周辺の周りに所定角度で変位されて配置される。このようにして、改善された固定、被覆２３への改善された引っ掛かり又は保持タブの改善された押圧が達成される。
【００４２】
図６は、ガイド部３８から見た保持部材４を示す。ガイド部３８は、曲げ部３７に可撓的に実装され、基部２６の縦方向を横断する細長帯の形態で延びる。帯４８は、対向する端部に第１又は第２の捕捉突起４９，５０を有する。帯４８は、基部２６の縦方向に対してほぼ直交し且つ部分円弧で基部２６から所定距離に配置される。第１又は第２の捕捉突起４９，５０は、ロック片３の捕捉縁すなわち捕捉凹部に係止するよう作用する。さらに、第１又は第２の捕捉時４９，５０は、ロック片３の回転開始位置又は回転終了位置を決定できる。さらに、第１又は第２の捕捉突起４９，５０は、遊びの補償及びロック片３及び第１及び第２のハウジング部１２，１４間の改善された同心度を形成するよう押圧部材すなわちガイド部材として使用することができる。帯４８は、好適には断面が部分円として構成され、ロック片３を案内すると共にハウジング１１のロック片３のロックを確保するよう作用する。
【００４３】
図７は、保持部材４及びロック片３が第２ハウジング部１４上に固定される実施形態を示す斜視図である。組立の際、ロック片３は第２ハウジング部１４のホルダ５に嵌り、ホルダ５の一部はロック片３の凹部７３に受容される。次に、ロック片３は、開始位置から図示の組立位置まで回転する。ロック片３は、ケーブル２２がケーブル開口２内に挿入される組立位置にある。第１ハウジング部１２は、明確さのために図示されていない。本実施形態において、ロック片３は、回転できるようにケーブル開口２の領域で第２ハウジング部１４上に保持される。保持部材４は、基部２６がケーブル開口２の縦方向に沿った状態で配置され、第２ハウジング部１４上に固定される。さらに、２個の保持ブロック５１，５２が、第２ハウジング部１４のカバー板６８の下側に設けられる。第３ばねアーム３９は、第１及び第２の保持ブロック５１，５２間に配置される。第３ばねアーム３９は、保持ブロック５１，５２間で自由に回転できるように配置される。第１及び第２の保持ブロック５１，５２は各々、接触面４０に割当てられる上側に、内側から外側まで上方へ傾斜して延び、第２嵌合面５５と交わる第１嵌合面５４を有する。第２嵌合面５５は、カバー板６８とほぼ平行に配置される。第１及び第２の嵌合面５４，５５は、接触面４０の第１及び第２の接触翼４１，４２と嵌合するよう作用する。第１及び第２の嵌合面５４，５５の配置及び接触翼４１，４２の実施形態により、接触面４０の最大変位が制限される。さらに、接触面４０は、第１及び第２の保持ブロック５１，５２の上面５３に対して所定角度で傾斜して配置される。このため、ケーブル２２が挿入され、接触面４０がシールド２４上に押圧されると、接触面４０は最初に、一端が保持ブロック５１，５２に押圧される。このため、接触面４０の更なる押下のために張力が増大する。
【００４４】
第１及び第２の保持ブロック５１，５２は各々、嵌合縁５７を有する。嵌合縁５７は、カバー板６８の下面に対してほぼ直交する方向に配置され、第１及び第２の保持アーム２７，２８の第２側縁５８と嵌合するよう作用する。このため、保持部材４の位置は、第１及び第２の保持ブロック５１，５２の方向に固定される。
【００４５】
さらに、第３及び第４の保持ブロック５９，６０が、第１及び第２保持ブロック５１，５２及びロック片３の間の第２ハウジング部１４の対向する両側面に設けられる。第３及び第４の保持ブロック５９，６０は各々、カバー板６８の下側とほぼ平行に配置され、第１及び第２の保持アーム２７，２８の端部に係止し、第２ハウジング部１４のカバー板６８に抗して保持部材４に張力を与える斜面６１，６２を有する。このようにして、保持部材４はまた、基部２６の縦軸の周りの回転に抗して両方向に支持される。縁３６を有する保持タブは、ケーブル開口２の方向に内方へ、例えば90°等の所定の角度で横方向に変位して突出する。細長のほぼ矩形基部として構成される基部２６は、２個の開口６３，６４を有する。これらの開口６３，６４は、基部２６を第２ハウジング部１４に係止又は固定するために使用することができる。例えば、保持部材４はカバー板６８の下側に載置され、接着剤が開口６３，６４に塗布され、保持部材４が第２ハウジング部１４に接合される。選択された実施形態により、ロック片３及び保持部材４の一方又は双方は、第１ハウジング部１２に固定することもできる。
【００４６】
図８は、保持部材４を有する第２ハウジング部１４を示す。第２ハウジング部１４は、ケーブル開口２の領域に第２ホルダ６を有する。第２ホルダ６はシェルの形態に構成され、ロック片３を保持すると共に案内するためのガイドバーと、輪郭すなわち凹部を有する。さらに、曲げ部３７が、ケーブル開口２から第２ホルダ６上に外方へ案内される。これにより、ガイド部３８は、第２ホルダ６の外側に第２ホルダ６とほぼ平行に、しかし所定距離をおいて配置される。
【００４７】
図９は、ロック片３が組立位置、すなわち図７に示される位置にある状態の保持部材４の斜視図である。組立位置では、ケーブル開口２は、ケーブル２２内に押圧するためにロック片３により露出する。この状態では、ロック片３が、第２ケーブル開口１９に隣接する下側に部分円の形態の縁６５を有するのが見える。縁６５は、例えば少なくとも半円形の形態で構成される。縁６５は、ガイド部３８の第１捕捉突起４９が係止する捕捉凹部６６を有する。これにより、ガイド部３８の帯４８は、縁６５の下に配置される。ロック片３が組立位置からロック位置に移動すると、第１捕捉突起４９が縁６５から押圧されて捕捉凹部６６から抜け出、節度感をもって音響的に知覚される。同時に、第１及び第２の捕捉突起４９，５０の一方又は双方は、ガイド部３８と共に、ガイド部材として使用することができる。本実施形態において、第１及び第２の捕捉突起４９，５０の一方又は双方は、縁６５上を横方向上方へ突出するので、少なくとも部分的に縁６５上に位置し、縁６５を案内する。これにより、第２捕捉突起５０を、縁６５から外方へ押圧することができる。第１捕捉突起４９は同様に、捕捉凹部６６の外側に位置する際に縁６５の外側にあり、続いてロック片３用の案内部材として作用する。縁６５は、Ｕ形状のロック片３の脚の端部部品内の停止面７１に隣接して配置される第２捕捉凹部６７を有する。ロック片３のロック位置において、第１捕捉突起４９は第２捕捉凹部６７に係止する。ロック片３のロック位置は図４に図示されている。帯４８は部分円の形態を有し、曲げ部３７上で部分円の中心に第２ハウジング部１４上に保持される。第１及び第２の捕捉突起４９，５０は、帯４８の両端に配置されている。捕捉突起４９，５０は、回転できるように曲げ部３７の領域で支持された可撓性帯４８を介して互いに接続されている。
【００４８】
組立の際、ロック片３は、開始位置において第２ホルダ６上に嵌っており、回転運動を介して第２ハウジング部１４の第２ホルダ６と積極的に係合することにより接続される。回転運動の際、ロック片３の停止面７１は、停止面７１により内方へ押圧される第１捕捉突起４９上を通過し、停止面７１を通過後に外方へ撥ねる。このため、ロック片３が第２ハウジング部１４の第２ホルダ６と積極的に係合することによる接続の後、第１捕捉突起４９は、ロック片３の回転に関して放射方向に見て、停止面７１の移動経路上に配置される。このため、第１捕捉突起４９は、引っ張りによる第２ホルダ６からのロック片３の除去が可能ではない領域へのロック片３の回転角度を制限する。これにより、ロック片３を再度、開始位置へ回転しようとすると、開始位置に到達する前に第１捕捉突起４９が停止面７１に当たる。このため、ロック片３は、保持部材４により第２ハウジング部１４上にしっかりと固定される。第１捕捉突起４９の内方への押圧のみにより、ロック片３は、第１捕捉突起４９が内側で停止面７１上を通過すると共にロック片３が開始位置に到達した後に第２ホルダ６から除去できる開始位置へ回転することができる。
【００４９】
図１０は、ロック位置にある第２ハウジング部１４及び保持部材４を有するロック片３を示す。ロック位置において、ロック片３の側アームは、第１ハウジング部１２（図示せず）の第１ホルダ５（図示せず）を抱え込むので、第１及び第２のハウジング部１２，１４を折り曲げ位置にロックする。
【００５０】
図１１は、保持タブの第２及び第３の部分３２，３３間の角度ａが明瞭に見える保持部材４の斜視図である。図示されるように、角度ａは180°未満である。さらに、第２及び第３の部分３２，３５は、ケーブル開口２の中心軸の方向に、又はケーブル２２の中心軸の方向に傾斜して配置される。
【００５１】
図１２は、第１及び第２の保持アーム２７，２８間の角度ｂが示される保持部材４の斜視図である。角度ｂは90°の範囲にすることができる。さらに、接触面４０の第１及び第２の接触翼４１，４２が互いに有する角度ｃが図示される。角度ｃも同様に、90°の範囲にすることができる。シールド２４の改善された接触は、第１及び第２の接触翼４１，４２のＶ形は位置により達成される。
【００５２】
図１３は、接触面４０及び基部２６間の、このためケーブル開口２又はケーブル２２の縦軸との角度ｄが示される保持部材４の別の斜視図である。角度ｄは、2〜90°の範囲にすることができる。
【００５３】
図１４は、ケーブル２２及びその中心軸７０の概略を示した、保持部材４の正面図である。２個の縁３６を有する第１及び第２の保持タブは、ケーブル２２の被覆２３の円形周辺の周りに変死した所定の角度ｅで配置されている。この特定配置のため、２個の保持タブは、ケーブル２２に張力及び締め付け力を及ぼし、ケーブル２２を少なくとも部分的にしっかりと締め付ける。さらに、ガイド部３８の帯４８の部分円弧形状は、この配置で見ることができる。
【００５４】
ホルダの別の利点は、保持タブがハウジング上に可撓的に保持されると共にケーブル開口２内に横方向へ突出することである。可撓性を有するホルダ及びその配置により、異なる径を有するケーブル２２を、保持タブによりしっかりと締め付けることができる。ケーブル２２は、ケーブル開口２より小さな径を有することができる。保持タブの可撓性ホルダにより、保持タブも、ケーブル開口の径より小さい径のケーブルに対しても、ケーブル２２の被覆の表面に抗して押圧され、保持縁は、積極的係合でケーブルの被覆内に貫通すると共にストレインリリーフとしてしっかりとケーブルをハウジングに保持する。さらに、複数のケーブルをも、少なくとも１個の好適には複数の保持タブをストレインリリーフとしてハウジングにしっかりと保持することができる。このため、１個の保持タブを１本のケーブルに割当て、ケーブルをしっかりと保持することができる。
【図面の簡単な説明】
【００５５】
【図１】保持部材及びロック片を有する本発明のプラグコネクタを示す分解斜視図である。
【図２】ケーブルを挿入し接触させる前の開状態のプラグコネクタを示す斜視図である。
【図３】ケーブルを挿入し接触させた後のプラグコネクタを示す斜視図である。
【図４】ロック片がロック状態にあるプラグコネクタを示す斜視図である。
【図５】保持部材の第１の斜視図である。
【図６】保持部材の第２の斜視図である。
【図７】保持部材及びロック片を有する第２ハウジング部の下側を示す斜視図である。
【図８】保持部材を有する第２ハウジング部の斜視図である。
【図９】ロック片が開状態にある保持部材を示す斜視図である。
【図１０】ロック片及びロック片がロック状態にある保持部材を有する第２ハウジング部の斜視図である。
【図１１】保持部材の第３の斜視図である。
【図１２】保持部材の第４の斜視図である。
【図１３】保持部材の第５の斜視図である。
【図１４】保持部材の第６の斜視図である。
【符号の説明】
【００５６】
１          プラグコネクタ
３          ロック片
４          保持部材
５，６      ホルダ（保持手段）
１１        ハウジング
１２        第１ハウジング部
１４        第２ハウジング部
２１        電線
２２        ケーブル
２３        被覆
２６        基部
２７        第１保持アーム
２８        第２保持アーム
２９        第１ばねアーム
３０        第２ばねアーム
３１        第１部分（保持タブ）
３２        第２部分（第１面；保持タブ）
３３        曲げ部（保持タブ）
３４        撓み部（保持タブ）
３５        第３部分（第２面；保持タブ）
３６        縁（保持タブ）
３８        ガイド部
３９        第３ばねアーム
４０        接触面
４９，５０  捕捉突起
６５        嵌合面
６６，６７  捕捉凹部
７１        停止面
７２        捕捉縁
７３        凹部
【図１】
2008103327.tif 000003
【図２】
2008103327.tif 000004
【図３】
2008103327.tif 000005
【図４】
2008103327.tif 000006
【図５】
2008103327.tif 000007
【図６】
2008103327.tif 000008
【図７】
2008103327.tif 000009
【図８】
2008103327.tif 000010
【図９】
2008103327.tif 000011
【図１０】
2008103327.tif 000012
【図１１】
2008103327.tif 000013
【図１２】
2008103327.tif 000014
【図１３】
2008103327.tif 000015
【図１４】
2008103327.tif 000016